(57)【要約】【課題】  万華鏡が内蔵するミラーコラムの-保持構造を変えることにより組立作業の省力化と均一化を計る。【解決手段】  接眼部とミラーコラムとミラーコラム格納部とオブジエクト及びオブジエクト格納部で構成される万華鏡に於いて、ミラーコラムを格納する筒内に、  筒２内に挿入可能でミラーコラム１０の成形に必要な保持孔９を備えたホルダー７と、所要サイズの平板面に鏡面１４を形成したミラー１３を所要形状とする際、折り目１５に弾力を残して加工方向の両端を開放したミラーとを組み合わせ、ホルダーのミラー保持孔に開放したミラーを挿入した際に、ミラーに残る弾力がミラーをホルダーの保持孔に密着せしめることにより、接着剤やテープ等の固定手段なしに所要形状のミラーコラムを筒内に形成する構造の万華鏡とした。【選択図】        図２
2005208213.tif 000002
【特許請求の範囲】
【請求項１】
接眼部とミラーコラムとミラーコラム格納部とオブジエクト及びオブジエクト格納部で
構成される万華鏡に於いて、
ミラーコラム（１０，２７）を格納する筒（２，２２）の内にホルダー（７，２３）を挿入し、該ホルダーがミラーコラムを所要形状に保持する構造の万華鏡。
【請求項２】
ミラー（１３，２８）の折り曲げによりミラーコラム（１０，２７）を構成する際、ミ
ラーの両端（９，３１）を接着することなく開放した儘、ホルダー（７，２３）と組み合わす請求項１に記載の万華鏡。
【請求項３】
ホルダー（７，２３）がミラーコラム（１０，２７）の形成に必要な断面形状を備えた
保持孔（９，２４）を有する請求項１か２に記載の万華鏡。
【請求項４】
ミラーコラム（２７）の一面に着色板（２５）を必要とする時、ホルダー（２３）自体
を前記着色板に相当する色付とする請求項１から３の何れかに記載の万華鏡。
【請求項５】
接眼部とミラーコラムとミラーコラム格納部とオブジエクト及びオブジエクト格納部で
構成される万華鏡に於いて、ミラーコラムを格納する筒に対して、
１）筒の内に挿入可能でミラーコラム（１０，２７）の形成に必要な保持孔（９，２４）を備えたホルダー（７，２３）と、
２）所要サイズの平板の片面か両面に鏡面を有するミラー（１３，２８）を所要形状に加工する過程で、ミラーの両端を接続固定することなく、接続寸前に保有する弾力を残したミラーと、
３）筒（２，２２）の内に組み込んだホルダー（７，２３）にミラー（１３，２８）を挿入するか、ホルダーとミラーを組み合わせた後に筒（２，２２）の内に挿入するかし、
４）ホルダー（７，２３）とミラー（１３，２８）を組み合わせた際に、ミラーに残る弾力がミラーをホルダーの保持孔（９，２４）に密着せしめることにより、
所要形状のミラーコラム（１０，２７）を筒（２，２２）の内に形成する万華鏡の組立方法。
【発明の詳細な説明】
【技術分野】
【０００１】
本発明は、万華鏡を構成するミラーコラムの保持構造とその組立方法に関する。
【背景技術】
【０００２】
大きいものでも両手で運べる程度の万華鏡（カレイドスコープ）の基本構成は、接眼部と筒とミラー及び格納されたオブジェクト（対象物）である。筒内に複数のミラーを組み合わせて中空のコラム（柱）を形成し、ミラーの一端にオブジェクトを置き他端の接眼部から覗くと、コラムを通して見えるオブジェクトは、光を受けたオブジェクトの模様がミラーの形状で変化し、美麗な映像として提供される。ミラーは２枚から４枚までの数の組み合わせと円筒が主な対象になる。
【０００３】
万華鏡の主要部であるミラーシステムとオブジェクトの組み合わせは、多くの種類がある。ミラーシステム（鏡の仕組み）では、２枚ミラーをツー、３枚ミラーをスリーとテーパード、４枚ミラーをフォーとレクタンギュラー及びツイン、円筒状ミラーをサークルと呼んでいる。オブジエクトは扱い方で、セル（チェンバー）、ワンド、オイル、インターチェンジャブル、ホィール、マーブル、テレイド等の各タイプに分かれる。
【０００４】
例えば、スリーミラーシステムではコラムの断面形状は正・直角・二等辺の各三角形がある。筒先端に形成したセル（小室）にオブジェクトを入れるとセルタイプの万華鏡になり、前記セルの中にオイルを入れオブジェクトと共存させるとオイルタイプの万華鏡になる。大きなものは万華鏡自体の外側も飾りつけるが、小さなものは装身用下げ飾り等に組み込んで複合化した商品としたり、キーホルダー等と組み合わせて使用する。
【非特許文献１】万華鏡（華麗な夢の世界）文化出版局−２００２年刊行
【発明の開示】
【発明が解決しようとする課題】
【０００５】
万華鏡の製作に手作業が占める割合は、サイズの大小にかかわらず高く、大きいものほど高い。［非特許文献１］の７４頁に基本的な万華鏡の作り方が示されている。この万華鏡はセルタイプのスリーミラーシステムで、構成部材の中で部材として最終に近い形状にでき上がっているのは筒位である。残りは素材としての形状はできてはいても、部材にするには可なりの手作業が残されている。万華鏡を量産する場合、可なりの部材を型生産できるが、ミラーコラムとその周辺の組立には手作業の余地が多く残り、なかなか解消することが難しい。
【０００６】
華麗な映像が観られる万華鏡を作るには、良質のミラーを使用することであるが、それ以上に重要なことは、ミラーを正確なコラムに組み立てることと、該ミラーコラムを筒の中に正確に固定することである。何れも、期待する映像を得るために欠かせない作業であるが手間も要する。この様な、ミラーコラムの長さ方向に正確さを要する作業は、量産の場合に製品の均一性を低下させるに原因にもなり、ミラーが小さくなるほど難しくなる。本出願人は該課題の解決に取り組み万華鏡を量産する際、ミラーの簡単な組み込みと均一性を向上する構造の万華鏡と組立方法を開発した。
【課題を解決するための手段】
【０００７】
本発明は、接眼部とミラーコラムとミラーコラム格納部とオブジエクト及びオブジエクト格納部で構成される万華鏡に於いて、
ミラーコラムを格納する筒内にホルダーを挿入し、該ホルダーがミラーコラムを所要形
状に保持する構造の万華鏡であり、
接眼部とミラーコラムとミラーコラム格納部とオブジエクト及びオブジエクト格納部で
構成される万華鏡に於いて、ミラーコラムを格納する筒に対して、
１）筒内に挿入可能でミラーコラムの形成に必要な保持孔を備えたホルダーと、
２）所要サイズの平板の片面か両面に鏡面を有するミラーを所要形状に加工する過程で、ミラーの両端を接続固定することなく、接続寸前に保有する弾力を残したミラーと、
３）予め、筒内に組み込んで置いたホルダーにミラーを挿入するか、予め、ホルダーとミラーを組み合わせた後に筒内に挿入し、
４）ホルダーとミラーを組み合わせた際に、ミラーに残る弾力がミラーをホルダーの保持孔に密着せしめることにより、
所要形状のミラーコラムを筒の内に形成する万華鏡の組立方法である。
【発明の効果】
【０００８】
本発明の万華鏡は、所要サイズで板状ミラーの折り目に弾力を残して折り曲げた後、ミラーの形成に必要な断面形状を備えたホルダーに、両端を開放した儘のミラーを挿入し、挿入により所要形状のミラーコラムが自然に形成される構造とした。該構造は従来構造がミラーの両端を直接もしくは間接に接着剤もしくは接着テープ等で閉じる作業を解消し、組立作業を著しく省力化した他、組み立てたミラー角度の正確さと量産製品の均一性を向上した。
【０００９】
ミラーシステムの中で、ミラーコラムの一面に黒等の光を反射しない板を組み込んで使
用するものについては、ホルダーをミラーの長さに合わせると共に黒等で着色すると、ホルダーが黒板の代わりをすることができる。この場合、ミラーの両端間は隔離されるが、黒板を使用しないミラーコラム同様に、折目の弾力が保持孔との密着を助けて所要角度を維持するので、組立手間を省力化することができる。
【発明を実施するための最良の形態】
【００１０】
本発明は、万華鏡を構成するミラーコラムを格納する筒内に、ホルダーを入れてミラー
と組み合わすと、ミラーコラムの形成と量産時の均一性の向上ができる。ホルダーと組み合うミラーは折り目に弾力を持つので、該弾力が保持孔とミラーの間の密着性を高める。また、如何なるミラーシステムにホルダーを使用しても同様の効果が得られる。ホルダー長さはミラーコラムと同等から半分の長さの範囲で選択すればよい。
【００１１】
光を反射しない面を必要とするツーミラーシステムもしくはスリーミラーシステムに属
するレクタンギュラーミラーシステムではホルダーは黒系統の色が都合がよい。それ以外の部材では目的や用途に応じて色を決めればよい。ミラーは紙や金属や合成樹脂等から選択した板を母材にして所要の折り目を付し、片面か両面に鍍金や蒸着等の手段で鏡面を形成する。ミラーの折り曲げは最終形状になる手前で止めて多少の弾力を残し、過度の折り曲げを避けることが適切な組み立てに必要である。
【実施例１】
【００１２】
図１（Ａ，Ｂ）はスリーミラーシステムによる万華鏡の側面図とａ−ａ線に沿う断面図
である。図２は図１の構成部材の斜視図である。図３（Ａ，Ｂ）は筒の正面図と側面図である。図４（Ａ，Ｂ）はホルダーの正面図と側面図である。図５（Ａ，Ｂ）はミラーの平面図と折り曲げ後の斜視図である。図６（Ａ，Ｂ）は採光窓の正面図と側面図である。図７（Ａ，Ｂ）は接眼レンズの正面図と側面図である。図８はミラーとホルダーの組み合わせ前後の側面図である。オブジェクトは本発明とは関係なく表示しない。
【００１３】
図１（Ａ，Ｂ）と図２のように、万華鏡１は筒２の一方の端寄り内面に仕切板５を設け
て、一方の短筒部（セル）３内にオブジェクトを格納し、他方の長筒部４内にホルダー７とスリーミラーに属するテーパードミラーシステム形式のミラーコラム１０を格納し、セル開口端に採光窓１７を、長筒部開口端に接眼レンズ１８を、取り付けて構成する。万華鏡のサイズは両手で持てるものから手の平に納まるもの迄の単体商品の他、小サイズの万華鏡では下げ飾り等と組み合わせた複合商品として使用したりする。
【００１４】
図３（Ａ，Ｂ）の筒２は、万華鏡を単品で使用する場合、外面に遮光処置を必要とする場合もあるが、複合商品では相手の状態で遮光処置の必要の有無が決まる。殆どの複合商品の場合、透明の儘でよい。また、本例の筒は円断面であるがミラーコラムの格納用として円断面に限定する必要はない。然し、本例のように筒先にオブジェクトを入れるセルを設ける場合には、筒の回転でオブジェクトが円滑に動くために円断面が必要になる。
【００１５】
図４（Ａ，Ｂ）の、ホルダー７は外面８の形状を筒２の内面形状に合わせ、中心にテー
パー付きミラーコラム１０の保持孔９を備える。ミラーコラムの大口径１１側と筒内径６の隙間が少ない時、ホルダーの長さはミラーコラムの長さの２／３程度の長さがあればよい。また、ミラーコラムの大口径１１側と筒内径６に充分な隙間があるときは同じ長さにするとよい。尚、ミラーコラムの小口径１２側の端面はセル３の仕切面５に接するが、ホルダーは必ずしも接触させる必要はない。
【００１６】
図５（Ａ，Ｂ）のミラー１３の鏡面１４は、鏡面を構成し得る材料による平板の片面もしくは両面に、例えば、クロム・アルミニューム等から選択した金属を使用し、メッキ・蒸着・塗装等の手段で、光沢のある薄膜を形成したものである。鏡面板を所要の大きさと形状に打ち抜き、必要に応じて半切り状の折り目１５を付ける。斜視図のように、所要の大きさのミラーを折り目に沿い、順に両端同士が突き当たる迄折り曲げるが、両端を開放した時に合わせ目が自力で開く程度の弾力（反発力）を折り目に残して置く。
【００１７】
図６（Ａ，Ｂ）の採光窓１７は、筒２のセル３にオブジェクトを挿入した後、被せて圧
入固定する。採光窓はセル内のオブジェクトに光を引き込む役目を持つため、光の透過量の確保に支障を来さない程度の透明性が要求される。また、別の商品に組み込む場合は採光窓の形状を相手に合わす必要がある。図７（Ａ，Ｂ）の凸型の接眼レンズ１８はミラーコラム１０の大口径１１側に圧入して固定する。接眼レンズは透明性のよい材料から成形する。
【００１８】
万華鏡１の筒２とホルダー７及びミラー１３の組立方法を図８（Ａ，Ｂ）を使用して説
明する。組み立ては、先にホルダーを筒に入れてからミラーを入れるか、組み合わせたホルダーとミラーを筒に入れるかの、何れの手段でもよいがミラーの折り目１５には弾力を残して置く（折り曲げ過ぎない）ことが必要である。両端１６が開いたミラーを閉じホルダーの保持孔９一杯に挿入すると、ミラーと保持孔は弾力で密着すると同時に保持孔に納まらぬ部分のミラー両端も自然に閉じて接着テープ等を必要としない。
【００１９】
ミラーコラム１０は小口径１２側を筒２の仕切板５と大口径１１側を接眼レンズ１８で
固定する。筒外径をミラーコラムの内蔵に要する径以上に太くする時、ホルダーが短いとミラーコラムの大口径側と筒内径６に隙間が生じて、ミラーコラムが不安定になり易くなるので、ホルダーとミラーコラムは同じ長さを使用するのがよい。本例の万華鏡に使用した材料は、母材を板紙として蒸着で鏡面加工を施したミラーを除いて、他の部材は透明な合成樹脂で成形加工した。然し、万華鏡に必要な透視と採光の目的に適う範囲なら材質と色は任意に選択すればよい。
【００２０】
本実施例ではスリーミラーシステムの中のテーパードミラーシステムについて説明した
が、ホルダーとミラーの組み合わせ構造は、断面が三角形のスリーミラーシステム、断面が四角形のフォーミラーシステム、断面が菱形のツインミラーシステムにも適用できる。断面が円形のサークルミラーシステムについては、筒内径がミラーコラム外径に較べて大きい時に有効である。
【実施例２】
【００２１】
図９（Ａ，Ｂ）はツーミラーシステムによる万華鏡の側面図と同図ｂ−ｂ線に沿う断面
図である。図１０は図９の構成部品の斜視図である。図１１（Ａ，Ｂ，Ｃ）はホルダーの側面図と同図ｃ−ｃ線に沿う二態の断面図である。図１２（Ａ，Ｂ）はミラーの平面図と折り曲げ後の斜視図である。その他の部材の筒２２と接眼レンズ１７Ａ及び採光窓１８Ａの構造と用途並びに使用するオブジェクトは実施例１と同じであり、サイズも相似するので省略する。
【００２２】
図９（Ａ，Ｂ）と図１０のように、万華鏡２１の内部構造はホルダー２３とミラー２８
からなる。筒２２内にホルダーとツーミラーシステム形式のミラーを格納する。ミラーコラム２７は長さ方向の全断面が同形で、二等辺三角形の二等辺をミラーに黒色のホルダーの底辺を着色板２５に利用する。図１１（Ａ，Ｂ，Ｃ）のホルダー２３は、同図（Ａ）のようにミラーコラムと同じ長さで、ツーミラーシステムに必要な二等辺三角形に相当する断面の保持孔２４を備える。同図（Ｂ，Ｃ）は二等辺に配置するミラーを保持する断面の二態様で、前者は二等辺の頂点部分とミラー両端３１の形状を考慮した差込孔２６を設けた断面を、後者は頂点部分は同じであるが両端にはミラー用の差込孔がない。
【００２３】
図１２（Ａ，Ｂ）のミラー２８も、実施例１と同様に折り曲げ過ぎないようにすることが必要である。挿入したミラーはホルダー２３の保持孔２４に折り目３０の弾力を利用して密着させ、保持孔の一辺をツーミラーシステムに必要な二等辺三角形の底辺に引き当てる。ミラーとホルダーの組立手順は実施例１と同様である。ホルダーとミラーの組み合わせ構造は、スリーミラーシステムの中で三辺にミラーを配置して空き辺を黒板とする四角断面のレキュタングラーミラーシステムにも適用できる。
【産業上の利用可能性】
【００２４】
実施例で説明したホルダーとミラーコラムの組み合わせを内蔵する万華鏡とその組立方法は、ミラーをコラムにする際の両端接続作業を解消し、量産時の品質の均一化に大きく役立つ。万華鏡ではオブジェクトを扱う部分及びミラーコラムを除く他部分の構造は殆ど変わらないので、ホルダーの交換だけで多様なミラーシステムに対応できる。従って、組み立てを手作業に頼る業界に於いて、本発明の構造による万華鏡は自動組立への道を開き省力化に貢献する。
【図面の簡単な説明】
【００２５】
【図１】（Ａ，Ｂ）はスリーミラーシステムによる万華鏡の側面図と同図ａ−ａ線に      沿う断面図である。（実施例１）
【図２】図１の構成部品の斜視図である。
【図３】（Ａ，Ｂ）は筒の正面図と側面図である。
【図４】（Ａ，Ｂ）はホルダーの正面図と側面図である。
【図５】（Ａ，Ｂ）はミラーの平面図と折り曲げ後の斜視図である。
【図６】（Ａ，Ｂ）は採光窓の正面図と側面図である。
【図７】（Ａ，Ｂ）は接眼レンズの正面図と側面図である。
【図８】（Ａ，Ｂ）ミラーとホルダーの組み合わせ前後の斜視図である。
【図９】（Ａ，Ｂ）はツーミラーシステムによる万華鏡の側面図と同図ｂ−ｂ線に沿      う断面図である。（実施例２）
【図１０】図９の構成部品の斜視図である。
【図１１】（Ａ，Ｂ，Ｃ）はホルダーの側面図と同図（Ａ）のｃ−ｃ線に沿う二態の      断面図である。
【図１２】（Ａ，Ｂ）はミラーの平面図と折り曲げ後の斜視図である。
【符号の説明】
【００２６】
１，２１  万華鏡
２，２２  筒
３  短筒部（セル）
４  長筒部
５  仕切面
７，２３  ホルダー
９，２４  保持孔
１０，２７  ミラーコラム
１３，２８  ミラー
１４  鏡面
１５，３０  折り目
１６，３１  両端
１７，１７Ａ  採光窓
１８，１８Ａ  接眼レンズ
２５  着色板
【図１】
2005208213.tif 000003
【図２】
2005208213.tif 000004
【図３】
2005208213.tif 000005
【図４】
2005208213.tif 000006
【図５】
2005208213.tif 000007
【図６】
2005208213.tif 000008
【図７】
2005208213.tif 000009
【図８】
2005208213.tif 000010
【図９】
2005208213.tif 000011
【図１０】
2005208213.tif 000012
【図１１】
2005208213.tif 000013
【図１２】
2005208213.tif 000014